(57)【要約】【課題】洗濯物を網袋の中に収容した状態で洗濯を行い、その洗濯物を干す際には網袋を容易に裏返して、狭いスペースでも複数列の洗濯物を物干し状態にすることができ、かつ簡易な作業によってハンガーに吊り下げて干すことができる、洗濯ネット及び洗濯ネットの製造方法を提供する。【解決手段】洗濯物１００を出し入れ可能な直線的に設けられた出入口７を有する網袋２と、出入口７の略両端に対向配置された２本の細長状の干綱支持部材３ａ、３ｂと、２本の干綱支持部材３ａ、３ｂのそれぞれに連接されて係止孔９ａ、９ｂを各々設けてなる係止部材４ａ、４ｂと、２本の干綱支持部材３ａ、３ｂの間に並列して架け渡された複数本の干綱５−１〜５−４と、干綱５に吊り懸けられた洗濯挟６とを備えている。【選択図】図１
2008264257.tif 000002
【特許請求の範囲】
【請求項１】
洗濯物を出し入れ可能な直線状の出入口を有する網袋と、出入口を開閉するファスナーと、出入口の両端部に対向配置された２本の細長状の干綱支持部材と、２本の干綱支持部材のそれぞれに連接されて係止孔を各々設けてなる板状の係止部材と、２本の干綱支持部材の間に並列して架け渡された複数本の干綱と、干綱に吊り懸けられた洗濯挟とを備えたことを特徴とする洗濯ネット。
【請求項２】
網袋は、出入口の左右両側部を各々複数回折り畳んで左右の巾を係止部材の左右の幅と同一にすると共に出入口の一端側部と他端側部において折畳み部分を固定して係止部材に接続してあることを特徴とする請求項１に記載の洗濯ネット。
【請求項３】
請求項２に記載の洗濯ネットの製造方法であって、矩形の網材を左右端を対峙するように左右側を折畳んで各々第１折畳み部とし、左右の第１折畳み部の上下端部を固定した後、左右の第１折畳み部を内包するように左右端を折り返して左右端を対峙させ、次に、左右の第１折畳み部を左右端がある側に折畳んだ後に、上下端部の折畳み状態を固定することにより、対峙した左右端間を出入口としてあることを特徴とする洗濯ネットの製造方法。
【発明の詳細な説明】
【技術分野】
【０００１】
本発明は、洗濯物を網袋の中に収容した状態で洗濯が行われ、且つその網袋を裏返した状態で洗濯物が干されるように設定してなる洗濯ネット及び洗濯ネットの製造方法に関する。
【背景技術】
【０００２】
特開２００２−３６０９７７号公報（特許文献１）には、洗濯物を出し入れ可能で、網袋の中に収容した状態で洗濯物を洗濯機に掛けるなどして洗濯することができる洗濯ネットが開示されている。また、特開２００２−２００３８８号公報（特許文献２）には、洗濯物を出し入れ可能で、網袋の中に収容した状態で洗濯物を洗濯することができ、且つ洗濯が終わった後には、網袋を裏返すことで、その洗濯物を取り外すことなく干すことを可能とした外観が幅広の薄いキャリヤケースのような形状でその四辺の内の三辺に亘ってファスナーが縫い付けられた構造の洗濯ネットが開示されている。
【０００３】
【特許文献１】特開２００２−３６０９７７号公報
【特許文献２】特開２００２−２００３８８号公報
【発明の開示】
【発明が解決しようとする課題】
【０００４】
しかしながら、上記のような特許文献１に開示された洗濯ネットでは、洗濯物を干す際に、一々洗濯物を網袋から取り出して、物干し竿などに掛け直さなければならず、その作業が煩雑であった。
【０００５】
特許文献２に開示された洗濯ネットでは、洗濯物を中から取り外して物干し竿等に掛け直さなくて済むという利点はあるものの、その平坦な外形や、変形しやすい材質からなる網袋の周囲の３辺にも亘る長いファスナーが設けられていることなどに起因して、網袋を洗濯時の閉じた状態から物干し時の開いた状態にする作業や、その逆に開いた状態から閉じた状態にする作業が行い辛いという問題がある。
【０００６】
また、洗濯挟が複数列に設けられているので、この設定のみからすると、洗濯物を複数列、一度に干すことができるようにも思われるが、実際には、その洗濯ネット全体の外形上の制約から、その洗濯ネット全体を吊り下げるための大きなスペースが必要となるという問題がある。逆に、限られたスペース内で吊り下げようとすると、例えば特許文献２の図３に示されているように、その洗濯ネットを中央部から２つ折りにしてハンガーや物干し竿に吊り下げなければならないので、実質的に、洗濯物は１列でしか干せなくなるという問題がある。
【０００７】
また、ハンガーに掛けて干す場合、洗濯後の濡れて絡まった状態の洗濯物をハンガーの掛け渡しの部分と肩当ての部分との間に通さなければならないが、そのような作業も極めて煩雑であるという問題がある。
【０００８】
本発明は、このような問題に鑑みて成されたもので、その目的は、洗濯物を網袋の中に収容した状態で洗濯を行い、その洗濯物を干す際には網袋を容易に裏返して、狭いスペースでも複数列の洗濯物を物干し状態にすることができる洗濯ネット及び洗濯ネットの製造方法を提供することにある。
【課題を解決するための手段】
【０００９】
請求項１記載の発明は、洗濯物を出し入れ可能な直線状の出入口を有する網袋と、出入口を開閉するファスナーと、出入口の両端部に対向配置された２本の細長状の干綱支持部材と、２本の干綱支持部材のそれぞれに連接されて係止孔を各々設けてなる板状の係止部材と、２本の干綱支持部材の間に並列して架け渡された複数本の干綱と、干綱に吊り懸けられた洗濯挟とを備えたことを特徴とする。
【００１０】
請求項２記載の発明は、網袋は、出入口の左右両側部を各々複数回折り畳んで左右の巾を係止部材の左右の幅と同一にすると共に出入口の一端側部と他端側部において折畳み部分を固定して係止部材に接続してあることを特徴とする。
【００１１】
請求項３記載の発明は、請求項２に記載の洗濯ネットの製造方法であって、矩形の網材を左右端を対峙するように左右側を折り畳んで各々第１折畳み部とし、左右の第１折畳み部の上下端部を固定した後、左右の第１折畳み部を内包するように左右端を折り返して左右端を対峙させ、次に、左右の第１折畳み部を左右端がある側に折り畳んだ後に、上下端部の折畳み状態を固定することにより、対峙した左右端間を出入口としてあることを特徴とする洗濯ネットの製造方法である。
【発明の効果】
【００１２】
請求項１の発明によれば、洗濯物を出し入れ可能な直線的に設けられた出入口を網袋に設けるようにしたので、洗濯を行った後、その洗濯物を干す際に、網袋を容易に裏返すことが可能となる。また、係止孔を設けてなる係止部材を干綱支持部材のそれぞれに連接させて設けるようにしたので、極めて簡易な作業によって外部のハンガーや洗濯挟などにこの洗濯ネットを吊り下げることが可能となる。また、出入口の略両端に対向配置された２本の細長状の干綱支持部材の間に並列して複数本の干綱を架け渡し、その干綱に洗濯挟を吊り下げてなる構造としたので、狭いスペースでも複数列の洗濯物を物干し状態にすることが可能となる。
【００１３】
請求項２記載の発明によれば、請求項１に記載の作用効果を奏すると共に、網袋は洗濯物を干すときには、係止部材間で帯状に配置でき、左右の係止部を吊り下げることにより、帯状の網袋の下で複数の干綱が平行に並んだ状態になるので、網袋が邪魔にならないで、洗濯物の物干しができる。しかも、一端部と他端部との間にある中間部の折畳み部は固定していないから、折畳み部を広げることにより袋状にできるので、洗濯時には、大きな容積で洗濯物を収納することができる。
【００１４】
請求項３記載の発明によれば、網袋の出入口の左右に折畳み部（襞）を容易に形成でき、製造しやすい。しかも、洗濯時に洗濯物を網袋の中にいれようとしたときに、中間部にある折畳み部（襞）が広がることができると共に、折畳み状態が復元しやすく、例えば一端側と他端側とに設けた係止部材を互いに離反する方向に引っ張れば、折畳み部が復元して帯状にすることができる。
【発明を実施するための最良の形態】
【００１５】
以下、本発明の実施の形態に係る洗濯ネットを、添付図面を参照して説明する。図１は、本発明の実施の形態に係る洗濯ネットを物干し状態（開状態）とした際の概観を示す図であり、図２は、その洗濯ネットを洗濯状態（閉状態）とした際の概観を示す図であり、図３は、図１に示した洗濯ネットを本発明の実施の形態に係る衣服ハンガーに吊り下げることで、洗濯ネットと共に洗濯物を干した状態を示す図である。ここで、図示の繁雑化を回避するために、図１、図２では、洗濯ネットに収容される洗濯物については省略して、洗濯ネット自体のみを描いてある。
【００１６】
この洗濯ネット１は、網袋２と、干綱支持部材３ａ、３ｂと、係止部材４ａ、４ｂと、干綱５−１、５−２、５−３、５−４と洗濯挟６とから、その主要部が構成されている。
【００１７】
網袋２は、通気性及び通水性が良好で、かつ度重なる洗濯にも耐えることができるナイロン（登録商標）繊維のような丈夫でしなやかな素材からなるもので、洗濯物１００を出し入れ可能な直線的に設けられた出入口７を有している。出入口７には、ファスナー８のような開閉可能な部材が縫い付けられている。出入口７自体が直線的な形状であるため、網袋２がしなやかな材質からなるものであっても、また洗濯直後のような洗濯物１００が絡まったり網袋２全体が捩れたりしている状態であっても、ファスナー８の開閉が極めて簡易にできるようになっている。
【００１８】
干綱支持部材３は、網袋２における出入口７の略両端にそれぞれ１本ずつ、対向配置されている細長状の部材で、その２本の干綱支持部材３ａ、３ｂの間には、本実施の形態では、４本の干綱５−１、５−２、５−３、５−４が所定の間隔を置いて並列しに架け渡されている。この干綱支持部材３ａ、３ｂは、洗濯で水分を多量に含んで重くなった洗濯物１００が吊り下げられて、その全荷重が実質的に懸かることとなるので、それに耐えられる程度以上の十分な剛性を有しているものであることが望ましい。
【００１９】
係止部材４ａ、４ｂは、外形がほぼ二等辺三角形のもので、底辺が干綱支持部材３ａ、３ｂに連接されており、略中央部には係止孔９ａ、９ｂが設けられている。この係止部材４ａ、４ｂは上記の干綱支持部材３ａ、３ｂと一体形成としてもよく、或いは別体で作製したものを接着又は組み付けるようにしてもよい。この係止部材４ａ、４ｂの材質についても、上記の干綱支持部材３ａ、３ｂと略同様に、洗濯で水分を多量に含んで重くなった洗濯物１００の全荷重に耐えられる十分な剛性を有しているものであることが望ましい。
【００２０】
干綱５−１、５−２、５−３、５−４は、上記の２本の干綱支持部材３ａ、３ｂの間に並列して架け渡されたものである。この干綱５−１、５−２、５−３、５−４は、洗濯時に最も強く捩れや引っ張り等の外力が懸かるものであるため、そのような外力に対して十分な耐久性を有するものであることが望ましいことは勿論である。干綱５−２と干綱５−３との間には、洗濯挟６を介して全ての干綱５−１、５−２、５−３、５−４を網袋２に繋いでおくための繋索１３が結索されている。このようにすることにより、洗濯時に干綱５−１、５−２、５−３、５−４及びそれに連なる洗濯挟６に把持されている洗濯物１００が大幅に捩れたり絡まったりすることを防止することが可能となるからである。
【００２１】
衣服ハンガー１０は、洗濯ネット１とは別体で、洗濯ネット１を吊り下げて洗濯物１００を干すことができるように設定されている。衣服ハンガー１０の本体１２は、衣服の上着を掛ける長さを有しており、その長手方向略両端には、係止腕１１ａ、１１ｂが設けられている。係止腕１１ａ、１１ｂはそれぞれ、洗濯ネット１における係止部材４ａ、４ｂの中央部の係止孔９ａ、９ｂに挿通されて、それら係止部材４ａ、４ｂを各々係止して、図３に示したように洗濯ネット１全体を吊り下げた状態で洗濯物１００を干すことができるように設定されている。この衣服ハンガー１０は、それ自体のみでも、頂部に設けられたフック１６を物干し竿（図示省略）に掛けて吊り下げるなどして、衣服を干すことも可能であることは勿論である。
【００２２】
次に、本実施の形態に係る洗濯ネット１の使用方法について説明する。洗濯物を干すとき又は非使用時には、出入口７の一端側と他端側とにある係止部材４ａ、４ｂを互いに離反する方向に引くと、図４に示すように、網袋２は帯状を成し、出入口７と反対側に干綱５−１、５−２、５−３、５−４が位置する。したがって、洗濯物を干すとき又は非使用時にはコンパクトな構成となり、嵩張らない。
【００２３】
洗濯時には、例えば、図４に示す状態から、洗濯物１００を干綱５−１、５−２、５−３、５−４に取り付けてある洗濯挟み６で挟み、出入口７を開いて係止部材４ａ、４ｂ、干綱５−１、５−２、５−３、５−４、洗濯挟み６、及び洗濯物を内側になるように、出入口７から網袋２の表裏を入れ替えて、図２に示すように袋状にして、ファスナー８を閉める。
【００２４】
洗濯終了後、洗濯物を干すときには、図２に示す状態からファスナー８を開け、出入口７を開いて、図４に示すように、洗濯物を外側にするように網袋２の表裏を返す。
【００２５】
次に、図５〜図７を参照して、本実施の形態に係る洗濯ネットの製造方法について、説明する。図６〜図７に示す（イ）〜（ト）は、網袋の製造工程を手順に従って示しており、（ａ）は背面図、（ｂ）は正面図、（ｃ）は上面図であり、図７の（ｄ）は図７（ｂ）のＡ−Ａ断面図である。
【００２６】
（イ）に示すように、一枚の矩形の網材Ｓを左右端Ｓ１、Ｓ２を対峙するように左右側を折り畳んで各々第１折畳み部Ｓ３を形成する（ステップ１）。
【００２７】
（ロ）に示すように、第１折畳み部Ｓ３において、左右の上片Ｓ５と、左右の下片Ｓ４とを各々縫い付けて固定する（ステップ２）。
【００２８】
（ハ）に示すように、左右の第１折畳み部Ｓ３を内包するように左右端Ｓ１、Ｓ２を折り返して左右端Ｓ１、Ｓ２を対峙させて、左右の第２折畳み部Ｓ６を形成する（ステップ３）。
【００２９】
（ニ）に示すように、左右の第２折畳み部Ｓ６と第１折畳み部Ｓ３とにおいて、各々上片Ｓ８、及び下方Ｓ９を縫い付けて固定する（ステップ４）。
【００３０】
（ホ）に示すように、第２折畳み部Ｓ６と第１折畳み部Ｓ３との固定部を内包するように左右端Ｓ１、Ｓ２側に折り畳んで第３折畳み部Ｓ７を形成して（ステップ５）、（へ）に示すように、上片Ｓ１０、及び下片Ｓ１１を縫い付けて固定する（ステップ６）。
【００３１】
そして、（ト）に示すように、対峙する左右端Ｓ１、Ｓ２間にファスナー８を取り付ける。
【００３２】
上述のようにして製造した網袋２は、出入口７の一端側と他端側とにある係止部材４ａ、４ｂを互いに離反する方向に引くと、図４に示すように、網袋２は帯状を成し、出入口７を開いて係止部材４ａ、４ｂが内側になるように、出入口７から網袋２の表裏を入れ替えて、網袋をひっくり返すと、出入口７の左右にある折畳み部（襞部）が広がって容易に袋状を形成し且つ容積の大きな袋を形成することができるものである。
【００３３】
本発明の実施の形態に係る洗濯ネット１によれば、洗濯物１００を容易に出し入れ可能な出入口７が、網袋２の長手方向略全長に亘って直線的に設けられているので、洗濯を行った後、洗濯物１００を干す際に、ファスナー８を難なく開閉することができ、網袋２を容易に裏返すことが可能となる。しかも、係止部材４ａ、４ｂは所定の剛性を有しているので、ユーザーがその係止部材４ａ、４ｂを手で掴んで網袋２の内側から出入口７を通して外側へと捻るようにして取り出すようにすることで、迅速かつ簡易に網袋２を裏返すことができる。
【００３４】
また、係止孔９を設けてなる係止部材４ａ、４ｂが、干綱支持部材３ａ、３ｂに連接して設けられているので、極めて簡易な作業によって、外部の衣服ハンガー１０或いはその他にも外部の洗濯挟（図示省略）等にこの洗濯ネット１を吊り下げることが可能となる。
【００３５】
また、出入口７の略両端に対向配置された２本の干綱支持部材３ａ、３ｂの間に並列して複数本の干綱５−１、５−２、５−３、５−４を架け渡し、その干綱５−１、５−２、５−３、５−４に洗濯挟６を吊り下げてなる構造としたので、狭いスペースでも複数列の洗濯物１００を物干し状態にすることが可能となる。
【００３６】
また、洗濯ネット１における係止部材４ａ、４ｂの係止孔９ａ、９ｂを、衣服ハンガー１０に設けた係止腕１１に係止しているので、洗濯ネット１を簡易な作業によって迅速かつ確実に吊り下げて、洗濯物１００を干す状態にすることが可能となる。
【００３７】
尚、衣服ハンガー１０は、衣服の上着（図示省略）を掛ける長さの本体を有し、その本体１２の長手方向略両端にそれぞれ係止腕１１を設けているので、この衣服ハンガー１０はそれ自体のみでも衣服の上着（シャツやセータなど）を掛けることができ、且つこの衣服ハンガーの全長に亘って洗濯ネット１を吊り下げることができるので、更にスペースを有効に活用して洗濯物を干すことが可能となる。
【００３８】
本発明は上述した実施の形態のみに限定されず、その要旨を逸脱しない範囲内において種々の変形が可能である。例えば、図示は省略するが、係止部材４ａ、４ｂの形状は、三角形以外にも、長方形や半楕円形などとすることも可能である。また、洗濯挟６は、上記の実施の形態では隣り合う干綱５同士の間に１列ずつ配置するようにしたが、個々の干綱５−１、５−２、５−３、５−４ごとに１列ずつ配列してもよい。また、洗濯ネット１は、衣服ハンガー１０以外にも、例えば外部の物干し竿に吊り下げられている洗濯挟などに係止部材４ａ、４ｂの端をクリップさせるなどして吊り下げるようにすることも可能であることは勿論である。また、衣服ハンガー１０の係止腕１１の形状は、図３に一例を示したようなＬ字型のもののみには限定されず、この他にも、例えば係止孔９ａ、９ｂに挿通可能な直径を有する丸棒状のものや、同様な直径を有する頭部が軸の先端部に設けられた形状のものなどとすることも可能である。
【００３９】
干綱５−１、５−２、５−３、５−４は、網袋２と一体に設けるものであっても良い。
請求項２において、折畳み部分Ｓ３、Ｓ６、Ｓ７は上述した実施例のように３つ形成することに限らず、２つ又は４つ以上の折畳みを形成するものであっても良い。
【図面の簡単な説明】
【００４０】
【図１】本発明の実施の形態に係る洗濯ネットを物干し状態とした際の概観を示す図である。
【図２】図１に示した洗濯ネットを洗濯状態とした際の概観を示す図である。
【図３】図１に示した洗濯ネットを本発明の実施の形態に係る衣服ハンガーに吊り下げて洗濯ネットと共に洗濯物を干した状態を示す図である。
【図４】図２に示した洗濯ネットの表裏（内外）を入れ替えて、洗濯物を干すときの洗濯ネットの斜視図である。
【図５】洗濯ネットの製造工程を（イ）（ロ）（ハ）の工程順に示す図であり、（ａ）は背面図、（ｂ）は正面図、（ｃ）は上面図である。
【図６】洗濯ネットの製造工程を（ニ）（ホ）（ヘ）の工程順に示す図であり、（ａ）は背面図、（ｂ）は正面図、（ｃ）は上面図である。
【図７】洗濯ネットの製造工程（ト）を示す図であり、（ａ）は背面図、（ｂ）は正面図、（ｃ）は上面図であり、（ｄ）は図７（ｂ）のＡ−Ａ断面図である。
【符号の説明】
【００４１】
１    洗濯ネット
２    網袋
３ａ、３ｂ    干綱支持部材
４ａ、４ｂ    係止部材
５−１、５−２、５−３、５−４    干綱
６    洗濯挟
７    出入口
８    ファスナー
９ａ、９ｂ    係止孔
【図１】
2008264257.tif 000003
【図２】
2008264257.tif 000004
【図３】
2008264257.tif 000005
【図４】
2008264257.tif 000006
【図５】
2008264257.tif 000007
【図６】
2008264257.tif 000008
【図７】
2008264257.tif 000009
【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
洗濯物を出し入れ可能な直線状の出入口を有する網袋と、出入口を開閉するファスナーと、出入口の両端部に対向配置された２本の細長状の干綱支持部材と、２本の干綱支持部材のそれぞれに連接されて係止孔を各々設けてなる板状の係止部材と、２本の干綱支持部材の間に並列して架け渡された複数本の干綱と、干綱に吊り懸けられた洗濯挟とを備え、網袋は、出入口の左右両側部を各々複数回折畳んで左右の巾を係止部材の左右の巾と同一にすると共に出入口の一端側部と他端側部において折畳み部分を固定して係止部材に接続してあることを特徴とする洗濯ネット。
【請求項２】
請求項１に記載の洗濯ネットの製造方法であって、矩形の網材を左右端を対峙するように左右側を折畳んで各々第１折畳み部とし、左右の第１折畳み部の上下端部を固定した後、左右の第１折畳み部を内包するように左右端を折り返して左右端を対峙させ、次に、左右の第１折畳み部を左右端がある側に折畳んだ後に、上下端部の折畳み状態を固定することにより、対峙した左右端間を出入口としてあることを特徴とする洗濯ネットの製造方法。
【手続補正２】
【補正対象書類名】明細書
【補正対象項目名】全文
【補正方法】変更
【補正の内容】
【発明の詳細な説明】
【技術分野】
【０００１】
本発明は、洗濯物を網袋の中に収容した状態で洗濯が行われ、且つその網袋を裏返した状態で洗濯物が干されるように設定してなる洗濯ネット及び洗濯ネットの製造方法に関する。
【背景技術】
【０００２】
特開２００２−３６０９７７号公報（特許文献１）には、洗濯物を出し入れ可能で、網袋の中に収容した状態で洗濯物を洗濯機に掛けるなどして洗濯することができる洗濯ネットが開示されている。また、特開２００２−２００３８８号公報（特許文献２）には、洗濯物を出し入れ可能で、網袋の中に収容した状態で洗濯物を洗濯することができ、且つ洗濯が終わった後には、網袋を裏返すことで、その洗濯物を取り外すことなく干すことを可能とした外観が幅広の薄いキャリヤケースのような形状でその四辺の内の三辺に亘ってファスナーが縫い付けられた構造の洗濯ネットが開示されている。
【０００３】
【特許文献１】特開２００２−３６０９７７号公報
【特許文献２】特開２００２−２００３８８号公報
【発明の開示】
【発明が解決しようとする課題】
【０００４】
しかしながら、上記のような特許文献１に開示された洗濯ネットでは、洗濯物を干す際に、一々洗濯物を網袋から取り出して、物干し竿などに掛け直さなければならず、その作業が煩雑であった。
【０００５】
特許文献２に開示された洗濯ネットでは、洗濯物を中から取り外して物干し竿等に掛け直さなくて済むという利点はあるものの、その平坦な外形や、変形しやすい材質からなる網袋の周囲の３辺にも亘る長いファスナーが設けられていることなどに起因して、網袋を洗濯時の閉じた状態から物干し時の開いた状態にする作業や、その逆に開いた状態から閉じた状態にする作業が行い辛いという問題がある。
【０００６】
また、洗濯挟が複数列に設けられているので、この設定のみからすると、洗濯物を複数列、一度に干すことができるようにも思われるが、実際には、その洗濯ネット全体の外形上の制約から、その洗濯ネット全体を吊り下げるための大きなスペースが必要となるという問題がある。逆に、限られたスペース内で吊り下げようとすると、例えば特許文献２の図３に示されているように、その洗濯ネットを中央部から２つ折りにしてハンガーや物干し竿に吊り下げなければならないので、実質的に、洗濯物は１列でしか干せなくなるという問題がある。
【０００７】
また、ハンガーに掛けて干す場合、洗濯後の濡れて絡まった状態の洗濯物をハンガーの掛け渡しの部分と肩当ての部分との間に通さなければならないが、そのような作業も極めて煩雑であるという問題がある。
【０００８】
本発明は、このような問題に鑑みて成されたもので、その目的は、洗濯物を網袋の中に収容した状態で洗濯を行い、その洗濯物を干す際には網袋を容易に裏返して、狭いスペースでも複数列の洗濯物を物干し状態にすることができる洗濯ネット及び洗濯ネットの製造方法を提供することにある。
【課題を解決するための手段】
【０００９】
請求項１記載の発明は、洗濯物を出し入れ可能な直線状の出入口を有する網袋と、出入口を開閉するファスナーと、出入口の両端部に対向配置された２本の細長状の干綱支持部材と、２本の干綱支持部材のそれぞれに連接されて係止孔を各々設けてなる板状の係止部材と、２本の干綱支持部材の間に並列して架け渡された複数本の干綱と、干綱に吊り懸けられた洗濯挟とを備え、網袋は、出入口の左右両側部を各々複数回折畳んで左右の巾を係止部材の左右の巾と同一にすると共に出入口の一端側部と他端側部において折畳み部分を固定して係止部材に接続してあることを特徴とする。
【００１０】
【００１１】
請求項２記載の発明は、請求項１に記載の洗濯ネットの製造方法であって、矩形の網材を左右端を対峙するように左右側を折畳んで各々第１折畳み部とし、左右の第１折畳み部の上下端部を固定した後、左右の第１折畳み部を内包するように左右端を折り返して左右端を対峙させ、次に、左右の第１折畳み部を左右端がある側に折畳んだ後に、上下端部の折畳み状態を固定することにより、対峙した左右端間を出入口としてあることを特徴とする洗濯ネットの製造方法である。
【発明の効果】
【００１２】
請求項１の発明によれば、洗濯物を出し入れ可能な直線的に設けられた出入口を網袋に設けるようにしたので、洗濯を行った後、その洗濯物を干す際に、網袋を容易に裏返すことが可能となる。また、係止孔を設けてなる係止部材を干綱支持部材のそれぞれに連接させて設けるようにしたので、極めて簡易な作業によって外部のハンガーや洗濯挟などにこの洗濯ネットを吊り下げることが可能となる。また、出入口の略両端に対向配置された２本の細長状の干綱支持部材の間に並列して複数本の干綱を架け渡し、その干綱に洗濯挟を吊り下げてなる構造としたので、狭いスペースでも複数列の洗濯物を物干し状態にすることが可能となる。
【００１３】
網袋は洗濯物を干すときには、係止部材間で帯状に配置でき、左右の係止部を吊り下げることにより、帯状の網袋の下で複数の干綱が平行に並んだ状態になるので、網袋が邪魔にならないで、洗濯物の物干しができる。しかも、一端部と他端部との間にある中間部の折畳み部は固定していないから、折畳み部を広げることにより袋状にできるので、洗濯時には、大きな容積で洗濯物を収納することができる。
【００１４】
請求項２記載の発明によれば、網袋の出入口の左右に折畳み部（襞）を容易に形成でき、製造しやすい。しかも、洗濯時に洗濯物を網袋の中にいれようとしたときに、中間部にある折畳み部（襞）が広がることができると共に、折畳み状態が復元しやすく、例えば一端側と他端側とに設けた係止部材を互いに離反する方向に引っ張れば、折畳み部が復元して帯状にすることができる。
【発明を実施するための最良の形態】
【００１５】
以下、本発明の実施の形態に係る洗濯ネットを、添付図面を参照して説明する。図１は、本発明の実施の形態に係る洗濯ネットを物干し状態（開状態）とした際の概観を示す図であり、図２は、その洗濯ネットを洗濯状態（閉状態）とした際の概観を示す図であり、図３は、図１に示した洗濯ネットを本発明の実施の形態に係る衣服ハンガーに吊り下げることで、洗濯ネットと共に洗濯物を干した状態を示す図である。ここで、図示の繁雑化を回避するために、図１、図２では、洗濯ネットに収容される洗濯物については省略して、洗濯ネット自体のみを描いてある。
【００１６】
この洗濯ネット１は、網袋２と、干綱支持部材３ａ、３ｂと、係止部材４ａ、４ｂと、干綱５−１、５−２、５−３、５−４と洗濯挟６とから、その主要部が構成されている。
【００１７】
網袋２は、通気性及び通水性が良好で、且つ度重なる洗濯にも耐えることができるナイロン（登録商標）繊維のような丈夫でしなやかな素材からなるもので、洗濯物１００を出し入れ可能な直線的に設けられた出入口７を有している。出入口７には、ファスナー８のような開閉可能な部材が縫い付けられている。出入口７自体が直線的な形状であるため、網袋２がしなやかな材質からなるものであっても、また洗濯直後のような洗濯物１００が絡まったり網袋２全体が捩れたりしている状態であっても、ファスナー８の開閉が極めて簡易にできるようになっている。
【００１８】
干綱支持部材３は、網袋２における出入口７の略両端にそれぞれ１本ずつ、対向配置されている細長状の部材で、その２本の干綱支持部材３ａ、３ｂの間には、本実施の形態では、４本の干綱５−１、５−２、５−３、５−４が所定の間隔を置いて並列しに架け渡されている。この干綱支持部材３ａ、３ｂは、洗濯で水分を多量に含んで重くなった洗濯物１００が吊り下げられて、その全荷重が実質的に懸かることとなるので、それに耐えられる程度以上の十分な剛性を有しているものであることが望ましい。
【００１９】
係止部材４ａ、４ｂは、外形がほぼ二等辺三角形のもので、底辺が干綱支持部材３ａ、３ｂに連接されており、略中央部には係止孔９ａ、９ｂが設けられている。この係止部材４ａ、４ｂは上記の干綱支持部材３ａ、３ｂと一体形成としてもよく、或いは別体で作製したものを接着又は組み付けるようにしてもよい。この係止部材４ａ、４ｂの材質についても、上記の干綱支持部材３ａ、３ｂと略同様に、洗濯で水分を多量に含んで重くなった洗濯物１００の全荷重に耐えられる十分な剛性を有しているものであることが望ましい。
【００２０】
干綱５−１、５−２、５−３、５−４は、上記の２本の干綱支持部材３ａ、３ｂの間に並列して架け渡されたものである。この干綱５−１、５−２、５−３、５−４は、洗濯時に最も強く捩れや引っ張り等の外力が懸かるものであるため、そのような外力に対して十分な耐久性を有するものであることが望ましいことは勿論である。干綱５−２と干綱５−３との間には、洗濯挟６を介して全ての干綱５−１、５−２、５−３、５−４を網袋２に繋いでおくための繋索１３が結索されている。このようにすることにより、洗濯時に干綱５−１、５−２、５−３、５−４及びそれに連なる洗濯挟６に把持されている洗濯物１００が大幅に捩れたり絡まったりすることを防止することが可能となるからである。
【００２１】
衣服ハンガー１０は、洗濯ネット１とは別体で、洗濯ネット１を吊り下げて洗濯物１００を干すことができるように設定されている。衣服ハンガー１０の本体１２は、衣服の上着を掛ける長さを有しており、その長手方向略両端には、係止腕１１ａ、１１ｂが設けられている。係止腕１１ａ、１１ｂはそれぞれ、洗濯ネット１における係止部材４ａ、４ｂの中央部の係止孔９ａ、９ｂに挿通されて、それら係止部材４ａ、４ｂを各々係止して、図３に示したように洗濯ネット１全体を吊り下げた状態で洗濯物１００を干すことができるように設定されている。この衣服ハンガー１０は、それ自体のみでも、頂部に設けられたフック１６を物干し竿（図示省略）に掛けて吊り下げるなどして、衣服を干すことも可能であることは勿論である。
【００２２】
次に、本実施の形態に係る洗濯ネット１の使用方法について説明する。洗濯物を干すとき又は非使用時には、出入口７の一端側と他端側とにある係止部材４ａ、４ｂを互いに離反する方向に引くと、図４に示すように、網袋２は帯状を成し、出入口７と反対側に干綱５−１、５−２、５−３、５−４が位置する。従って、洗濯物を干すとき又は非使用時にはコンパクトな構成となり、嵩張らない。
【００２３】
洗濯時には、例えば、図４に示す状態から、洗濯物１００を干綱５−１、５−２、５−３、５−４に取り付けてある洗濯挟み６で挟み、出入口７を開いて係止部材４ａ、４ｂ、干綱５−１、５−２、５−３、５−４、洗濯挟み６、及び洗濯物を内側になるように、出入口７から網袋２の表裏を入れ替えて、図２に示すように袋状にして、ファスナー８を閉める。
【００２４】
洗濯終了後、洗濯物を干すときには、図２に示す状態からファスナー８を開け、出入口７を開いて、図４に示すように、洗濯物を外側にするように網袋２の表裏を返す。
【００２５】
次に、図５〜図７を参照して、本実施の形態に係る洗濯ネットの製造方法について、説明する。図６〜図７に示す（イ）〜（ト）は、網袋の製造工程を手順に従って示しており、（ａ）は背面図、（ｂ）は正面図、（ｃ）は上面図であり、図７の（ｄ）は図７（ｂ）のＡ−Ａ断面図である。
【００２６】
（イ）に示すように、一枚の矩形の網材Ｓを左右端Ｓ１、Ｓ２を対峙するように左右側を折畳んで各々第１折畳み部Ｓ３を形成する（ステップ１）。
【００２７】
（ロ）に示すように、第１折畳み部Ｓ３において、左右の上片Ｓ５と、左右の下片Ｓ４とを各々縫い付けて固定する（ステップ２）。
【００２８】
（ハ）に示すように、左右の第１折畳み部Ｓ３を内包するように左右端Ｓ１、Ｓ２を折り返して左右端Ｓ１、Ｓ２を対峙させて、左右の第２折畳み部Ｓ６を形成する（ステップ３）。
【００２９】
（ニ）に示すように、左右の第２折畳み部Ｓ６と第１折畳み部Ｓ３とにおいて、各々上片Ｓ８、及び下方Ｓ９を縫い付けて固定する（ステップ４）。
【００３０】
（ホ）に示すように、第２折畳み部Ｓ６と第１折畳み部Ｓ３との固定部を内包するように左右端Ｓ１、Ｓ２側に折畳んで第３折畳み部Ｓ７を形成して（ステップ５）、（へ）に示すように、上片Ｓ１０、及び下片Ｓ１１を縫い付けて固定する（ステップ６）。
【００３１】
そして、（ト）に示すように、対峙する左右端Ｓ１、Ｓ２間にファスナー８を取り付ける。
【００３２】
上述のようにして製造した網袋２は、出入口７の一端側と他端側とにある係止部材４ａ、４ｂを互いに離反する方向に引くと、図４に示すように、網袋２は帯状を成し、出入口７を開いて係止部材４ａ、４ｂが内側になるように、出入口７から網袋２の表裏を入れ替えて、網袋をひっくり返すと、出入口７の左右にある折畳み部（襞部）が広がって容易に袋状を形成し且つ容積の大きな袋を形成することができるものである。
【００３３】
本発明の実施の形態に係る洗濯ネット１によれば、洗濯物１００を容易に出し入れ可能な出入口７が、網袋２の長手方向略全長に亘って直線的に設けられているので、洗濯を行った後、洗濯物１００を干す際に、ファスナー８を難なく開閉することができ、網袋２を容易に裏返すことが可能となる。しかも、係止部材４ａ、４ｂは所定の剛性を有しているので、ユーザーがその係止部材４ａ、４ｂを手で掴んで網袋２の内側から出入口７を通して外側へと捻るようにして取り出すようにすることで、迅速かつ簡易に網袋２を裏返すことができる。
【００３４】
また、係止孔９を設けてなる係止部材４ａ、４ｂが、干綱支持部材３ａ、３ｂに連接して設けられているので、極めて簡易な作業によって、外部の衣服ハンガー１０或いはその他にも外部の洗濯挟（図示省略）等にこの洗濯ネット１を吊り下げることが可能となる。
【００３５】
また、出入口７の略両端に対向配置された２本の干綱支持部材３ａ、３ｂの間に並列して複数本の干綱５−１、５−２、５−３、５−４を架け渡し、その干綱５−１、５−２、５−３、５−４に洗濯挟６を吊り下げてなる構造としたので、狭いスペースでも複数列の洗濯物１００を物干し状態にすることが可能となる。
【００３６】
また、洗濯ネット１における係止部材４ａ、４ｂの係止孔９ａ、９ｂを、衣服ハンガー１０に設けた係止腕１１に係止しているので、洗濯ネット１を簡易な作業によって迅速かつ確実に吊り下げて、洗濯物１００を干す状態にすることが可能となる。
【００３７】
尚、衣服ハンガー１０は、衣服の上着（図示省略）を掛ける長さの本体を有し、その本体１２の長手方向略両端にそれぞれ係止腕１１を設けているので、この衣服ハンガー１０はそれ自体のみでも衣服の上着（シャツやセータなど）を掛けることができ、且つこの衣服ハンガーの全長に亘って洗濯ネット１を吊り下げることができるので、更にスペースを有効に活用して洗濯物を干すことが可能となる。
【００３８】
本発明は上述した実施の形態のみに限定されず、その要旨を逸脱しない範囲内において種々の変形が可能である。例えば、図示は省略するが、係止部材４ａ、４ｂの形状は、三角形以外にも、長方形や半楕円形などとすることも可能である。また、洗濯挟６は、上記の実施の形態では隣り合う干綱５同士の間に１列ずつ配置するようにしたが、個々の干綱５−１、５−２、５−３、５−４ごとに１列ずつ配列してもよい。また、洗濯ネット１は、衣服ハンガー１０以外にも、例えば外部の物干し竿に吊り下げられている洗濯挟などに係止部材４ａ、４ｂの端をクリップさせるなどして吊り下げるようにすることも可能であることは勿論である。また、衣服ハンガー１０の係止腕１１の形状は、図３に一例を示したようなＬ字型のもののみには限定されず、この他にも、例えば係止孔９ａ、９ｂに挿通可能な直径を有する丸棒状のものや、同様な直径を有する頭部が軸の先端部に設けられた形状のものなどとすることも可能である。
【００３９】
干綱５−１、５−２、５−３、５−４は、網袋２と一体に設けるものであっても良い。
請求項２において、折畳み部分Ｓ３、Ｓ６、Ｓ７は上述した実施例のように３つ形成することに限らず、２つ又は４つ以上の折畳みを形成するものであっても良い。
【図面の簡単な説明】
【００４０】
【図１】本発明の実施の形態に係る洗濯ネットを物干し状態とした際の概観を示す図である。
【図２】図１に示した洗濯ネットを洗濯状態とした際の概観を示す図である。
【図３】図１に示した洗濯ネットを本発明の実施の形態に係る衣服ハンガーに吊り下げて洗濯ネットと共に洗濯物を干した状態を示す図である。
【図４】図２に示した洗濯ネットの表裏（内外）を入れ替えて、洗濯物を干すときの洗濯ネットの斜視図である。
【図５】洗濯ネットの製造工程を（イ）（ロ）（ハ）の工程順に示す図であり、（ａ）は背面図、（ｂ）は正面図、（ｃ）は上面図である。
【図６】洗濯ネットの製造工程を（ニ）（ホ）（ヘ）の工程順に示す図であり、（ａ）は背面図、（ｂ）は正面図、（ｃ）は上面図である。
【図７】洗濯ネットの製造工程（ト）を示す図であり、（ａ）は背面図、（ｂ）は正面図、（ｃ）は上面図であり、（ｄ）は図７（ｂ）のＡ−Ａ断面図である。
【符号の説明】
【００４１】
１    洗濯ネット
２    網袋
３ａ、３ｂ    干綱支持部材
４ａ、４ｂ    係止部材
５−１、５−２、５−３、５−４    干綱
６    洗濯挟
７    出入口
８    ファスナー
９ａ、９ｂ    係止孔